(57)【特許請求の範囲】
【請求項１】
ボディーを含み、前記ボディーの中にはクリーニング空間が設置され、前記クリーニング空間の左右両側にはスライド空間が設置され、前記スライド空間と前記クリーニング空間との間にはスライド空間が連通され、各前記スライド空間において前記クリーニング空間から離れた側にはいずれも側辺空間が設置され、各前記スライド空間の下側にはいずれも開口空間が設置され、前記開口空間と前記クリーニング空間との間にはモーターを使用せず卓球ボールをピックアップできる運動ピックアップ装置が設置され、
前記運動ピックアップ装置は前記スライド空間の中にスライドできるように連結されたスライドブロックを含み、二つの前記スライドブロックにおいて前記クリーニング空間に近接した側には収集板が固定的に設置され、前記収集板の中には収集空間が設置され、各前記スライドブロックの上側には対応している前記スライド空間とスライドできるように連結された当接ブロックが固定的に設置され、前記当接ブロックの底壁と当該当接ブロックの底壁と対応している前記スライド空間の底壁との間には復帰ばねが連結され、各前記開口空間の左右側壁にはいずれもローラー軸が回転できるように連結され、各前記ローラー軸は前記クリーニング空間から離れた側に伸びて前記開口空間の一つの側壁を貫通して前記側辺空間の中に入り、かつ前記側辺空間の左右の側壁と回転できるように連結され、各前記ローラー軸において前記クリーニング空間に近接した側にはいずれもローラーが固定的に設置され、各前記側辺空間の上側の左右の側壁にはいずれも偏心輪軸が回転できるように連結され、各前記偏心輪軸は前記クリーニング空間に近接した方向に伸びて前記側辺空間の一つの側壁を貫通して前記スライド空間の中に入り、かつ前記スライド空間の左右の側壁と回転できるように連結され、各前記偏心輪軸と当該偏心輪軸の下側に対応した前記ローラー軸にはそれぞれ第一プーリが上下対称的に固定的に設置され、上下対称の二つの前記第一プーリの間にはいずれも第一ベルトが連結され、各前記偏心輪軸のもうひとつ側において前記スライド空間の中に位置する部分にはいずれも前記当接ブロックと当接した偏心輪が固定的に設置され、
前記クリーニング空間の上側には洗浄液を貯蔵する四つ貯水空間が設置され、中間の二つの前記貯水空間の上側にはクリーニング完了の卓球ボールを貯蔵する貯蔵空間が設置され、前記貯蔵空間の左右両側には底部が前記クリーニング空間と連通したファン空間が対称的に設置され、各前記ファン空間と前記貯蔵空間との間にはいずれも連通空間が連通され、各前記ファン空間において前記クリーニング空間から離れた一つの側壁にはいずれも円形空間が設置され、前記貯蔵空間と、前記貯水空間と、前記クリーニング空間との後側には伝動空間が設置され、前記伝動空間と前記クリーニング空間との間には卓球ボールを輸送し、かつクリーニングするクリーニング輸送装置が設置され、前記伝動空間と前記貯蔵空間との間には卓球ボールを収集する収集装置が設置されていることを特徴とする体育館で使われる卓球ボールを便利にピックアップするピックアップ装置。
【請求項２】
前記クリーニング輸送装置は前記伝動空間の後の側壁に固定的に装着された伝動モーターを含み、前記伝動モーターには前記伝動空間の前の側壁と回転できるように連結された伝動軸が伝動できるように連結され、前記伝動空間の前後の側壁には二つの回転軸が回転できるように連結され、二つの前記回転軸は前記伝動軸を中心にして左右対称であり、各前記回転軸において前記伝動軸から離れた側にはいずれも前記伝動空間の前後の側壁と回転できるように連結された副軸が設置され、右側の前記回転軸と前記伝動軸にはそれぞれ互いに対応した第二プーリが固定的に設置され、二つの前記第二プーリの間には第二ベルトが連結され、左側の前記回転軸と前記伝動軸にはそれぞれ互いに対応した第三プーリが固定的に設置され、二つの前記第三プーリの間には第三ベルトが連結され、左側の前記副軸と左側の前記回転軸にはそれぞれ互いに対応した第四プーリが固定的に設置され、二つの前記第四プーリの間には第四ベルトが連結され、右側の前記副軸と右側の前記回転軸にはそれぞれ互いに対応した第五プーリが固定的に設置され、二つの前記第五プーリの間には第五ベルトが連結され、各前記副軸と各前記回転軸の後側には左右対応した第一歯車が固定的に設置され、各前記第一歯車の四周にはいずれも四つを一組とする付属軸が上下左右対称的に設置され、前記付属軸が前記伝動空間の前後の側壁と回転できるように連結され、各前記付属軸は前方に伸びて前記伝動空間の前の側壁を貫通して前記クリーニング空間の中に入り、かつ前記クリーニング空間の前後の側壁と回転できるように連結され、各前記付属軸の後側には当該付属軸と対応した前記第一歯車と噛み合っている第二歯車が固定的に設置され、各前記付属軸の前側にはいずれも回転盤が固定的に設置され、前記付属軸と対応した四つ毎の前記回転盤を一つ組にし、各組の前記回転盤にはクリーニングベルトが連結され、各前記貯水空間の後側には送水管が連通され、各前記貯水空間の底壁と前記クリーニング空間の頂壁との間にはいずれもウォータードロッパーが設置されていることを特徴とする請求項１に記載の体育館で使われる卓球ボールを便利にピックアップするピックアップ装置。
【請求項３】
前記収集装置は前記ファン空間の上側に固定的に装着された固定ロッドを含み、各前記固定ロッドにはファンモーターが固定的に設置され、各前記ファンモーターの下側にはファン軸が伝動できるように連結され、前記ファン軸の下側には風力を通じて前記クリーニングベルトによって輸送されてきた卓球ボールを上方に輸送するファンが固定的に設置され、前記ファンの下側には前記ファン空間の左右の側壁と固定的に連結された阻隔板が固定的に設置され、各前記円形空間の前後の側壁にはいずれも貫通軸が回転できるように連結され、各前記貫通軸は後側に伸びて前記円形空間の後の側壁を貫通して前記伝動空間の中に入り、かつ前記伝動空間の前後の側壁と回転できるように連結され、前記貫通軸の後側と当該貫通軸の下側に対応した前記副軸にはそれぞれ第六プーリが固定的に設置され、上下対称の二つ毎の前記第六プーリの間にはそれぞれ第六プーリが連結され、各前記貫通軸の前側には吸い上げられてきた卓球ボールを前記貯蔵空間の中に打ち込む回転ロッドが設置されていることを特徴とする請求項２に記載の体育館で使われる卓球ボールを便利にピックアップするピックアップ装置。
【請求項４】
前記送水管の出口には送水口が固定的に設置されていることを特徴とする請求項２に記載の体育館で使われる卓球ボールを便利にピックアップするピックアップ装置。
【請求項５】
前記ボディーの後側には押し動かしロッドが固定的に設置されていることを特徴とする請求項１に記載の体育館で使われる卓球ボールを便利にピックアップするピックアップ装置。
【請求項６】
前記貯水空間の上側には開口板が設置されていることを特徴とする請求項１に記載の体育館で使われる卓球ボールを便利にピックアップするピックアップ装置。
【請求項７】
前記収集板の中間位置の前後の側壁には境界板が固定的に設置され、前記境界板の側壁と前記収集板の側壁との間には弾性縄が連結され、二つ毎の前記弾性縄の間隔は卓球ボールの直径より小さいことを特徴とする請求項１に記載の体育館で使われる卓球ボールを便利にピックアップするピックアップ装置。
【請求項８】
前記境界板に近接した前記クリーニングベルトの回転方向は前記境界板から離れた方向であることを特徴とする請求項７に記載の体育館で使われる卓球ボールを便利にピックアップするピックアップ装置。
【請求項９】
左側の前記回転ロッドは反時計回り方向の回転をし、右側の前記回転ロッドは時計回り方向の回転をすることを特徴とする請求項３に記載の体育館で使われる卓球ボールを便利にピックアップするピックアップ装置。
【請求項１０】
前記クリーニングベルトは一定の摩擦力を有することを特徴とする請求項２に記載の体育館で使われる卓球ボールを便利にピックアップするピックアップ装置。
【発明の詳細な説明】
【技術分野】
【０００１】
本発明は運動施設分野に関わり、具体的には体育館で使われる卓球ボールを便利にピックアップするピックアップ装置である。
【背景技術】
【０００２】
目下、社会の発展につれて、人は体の健康をもっと重視してきた。運動に参加する人も多くなる。都市内で多くの室内体育館が建てられてきた。中国の国民ボールとされる卓球をする場は、個人的な体育館或いは公共的な体育館で必要不可欠な一部であり、しかし、卓球の練習をする場所には常に選手たちが練習した後の整っていない卓球のボールは散らかっている。普通には、体育館のスタッフは何度も体を折り曲げて卓球ボールを拾い、この方法では時間を費やすだけでなく、効率も低く、またスタッフの体に悪い影響をもたらし、したがって、体育館で使われる卓球ボールを便利にピックアップするピックアップ装置を発明する必要がある。
【先行技術文献】
【特許文献】
【０００３】
【特許文献１】中国特許出願公開第１０２７８４４６０号明細書
【発明の概要】
【発明が解決しようとする課題】
【０００４】
本発明の目的は体育館で使われる卓球ボールを便利にピックアップするピックアップ装置を提供し、上記背景技術に説明した問題を解決することである。
【課題を解決するための手段】
【０００５】
上記の目的を実現するため、本発明は以下の技術プランを提供する。本発明実施例の体育館で使われる卓球ボールを便利にピックアップするピックアップ装置は、ボディーを含み、前記ボディーの中にはクリーニング空間が設置され、前記クリーニング空間の左右両側にはスライド空間が設置され、前記スライド空間と前記クリーニング空間との間にはスライド空間が連通され、各前記スライド空間において前記クリーニング空間から離れた側にはいずれも側辺空間が設置され、各前記スライド空間の下側にはいずれも開口空間が設置され、前記開口空間と前記クリーニング空間との間にはモーターを使用せず卓球ボールをピックアップできる運動ピックアップ装置が設置されている。
【０００６】
前記運動ピックアップ装置は前記スライド空間の中にスライドできるように連結されたスライドブロックを含み、二つの前記スライドブロックにおいて前記クリーニング空間に近接した側には収集板が固定的に設置され、前記収集板の中には収集空間が設置され、各前記スライドブロックの上側には対応している前記スライド空間とスライドできるように連結された当接ブロックが固定的に設置され、前記当接ブロックの底壁と当該当接ブロックの底壁と対応している前記スライド空間の底壁との間には復帰ばねが連結され、各前記開口空間の左右側壁にはいずれもローラー軸が回転できるように連結され、各前記ローラー軸は前記クリーニング空間から離れた側に伸びて前記開口空間の一つの側壁を貫通して前記側辺空間の中に入り、かつ前記側辺空間の左右の側壁と回転できるように連結され、各前記ローラー軸において前記クリーニング空間に近接した側にはいずれもローラーが固定的に設置され、各前記側辺空間の上側の左右の側壁にはいずれも偏心輪軸が回転できるように連結され、各前記偏心輪軸は前記クリーニング空間に近接した方向に伸びて前記側辺空間の一つの側壁を貫通して前記スライド空間の中に入り、かつ前記スライド空間の左右の側壁と回転できるように連結され、各前記偏心輪軸と当該偏心輪軸の下側に対応した前記ローラー軸にはそれぞれ第一プーリが上下対称的に固定的に設置され、上下対称の二つの前記第一プーリの間にはいずれも第一ベルトが連結され、各前記偏心輪軸のもうひとつ側において前記スライド空間の中に位置する部分にはいずれも前記当接ブロックと当接した偏心輪が固定的に設置されている。
【０００７】
前記クリーニング空間の上側には洗浄液を貯蔵する四つ貯水空間が設置され、中間の二つの前記貯水空間の上側にはクリーニング完了の卓球ボールを貯蔵する貯蔵空間が設置され、前記貯蔵空間の左右両側には底部が前記クリーニング空間と連通したファン空間が対称的に設置され、各前記ファン空間と前記貯蔵空間との間にはいずれも連通空間が連通され、各前記ファン空間において前記クリーニング空間から離れた一つの側壁にはいずれも円形空間が設置され、前記貯蔵空間と、前記貯水空間と、前記クリーニング空間との後側には伝動空間が設置され、前記伝動空間と前記クリーニング空間との間には卓球ボールを輸送し、かつクリーニングするクリーニング輸送装置が設置され、前記伝動空間と前記貯蔵空間との間には卓球ボールを収集する収集装置が設置されている。
【０００８】
好ましくは、前記クリーニング輸送装置は前記伝動空間の後の側壁に固定的に装着された伝動モーターを含み、前記伝動モーターには前記伝動空間の前の側壁と回転できるように連結された伝動軸が伝動できるように連結され、前記伝動空間の前後の側壁には二つの回転軸が回転できるように連結され、二つの前記回転軸は前記伝動軸を中心にして左右対称であり、各前記回転軸において前記伝動軸から離れた側にはいずれも前記伝動空間の前後の側壁と回転できるように連結された副軸が設置され、右側の前記回転軸と前記伝動軸にはそれぞれ互いに対応した第二プーリが固定的に設置され、二つの前記第二プーリの間には第二ベルトが連結され、左側の前記回転軸と前記伝動軸にはそれぞれ互いに対応した第三プーリが固定的に設置され、二つの前記第三プーリの間には第三ベルトが連結され、左側の前記副軸と左側の前記回転軸にはそれぞれ互いに対応した第四プーリが固定的に設置され、二つの前記第四プーリの間には第四ベルトが連結され、右側の前記副軸と右側の前記回転軸にはそれぞれ互いに対応した第五プーリが固定的に設置され、二つの前記第五プーリの間には第五ベルトが連結され、各前記副軸と各前記回転軸の後側には左右対応した第一歯車が固定的に設置され、各前記第一歯車の四周にはいずれも四つを一組とする付属軸が上下左右対称的に設置され、前記付属軸が前記伝動空間の前後の側壁と回転できるように連結され、各前記付属軸は前方に伸びて前記伝動空間の前の側壁を貫通して前記クリーニング空間の中に入り、かつ前記クリーニング空間の前後の側壁と回転できるように連結され、各前記付属軸の後側には当該付属軸と対応した前記第一歯車と噛み合っている第二歯車が固定的に設置され、各前記付属軸の前側にはいずれも回転盤が固定的に設置され、前記付属軸と対応した四つ毎の前記回転盤を一つ組にし、各組の前記回転盤にはクリーニングベルトが連結され、各前記貯水空間の後側には送水管が連通され、各前記貯水空間の底壁と前記クリーニング空間の頂壁との間にはいずれもウォータードロッパーが設置されている。
【０００９】
好ましくは、前記収集装置は前記ファン空間の上側に固定的に装着された固定ロッドを含み、各前記固定ロッドにはファンモーターが固定的に設置され、各前記ファンモーターの下側にはファン軸が伝動できるように連結され、前記ファン軸の下側には風力を通じて前記クリーニングベルトによって輸送されてきた卓球ボールを上方に輸送するファンが固定的に設置され、前記ファンの下側には前記ファン空間の左右の側壁と固定的に連結された阻隔板が固定的に設置され、各前記円形空間の前後の側壁にはいずれも貫通軸が回転できるように連結され、各前記貫通軸は後側に伸びて前記円形空間の後の側壁を貫通して前記伝動空間の中に入り、かつ前記伝動空間の前後の側壁と回転できるように連結され、前記貫通軸の後側と当該貫通軸の下側に対応した前記副軸にはそれぞれ第六プーリが固定的に設置され、上下対称の二つ毎の前記第六プーリの間にはそれぞれ第六プーリが連結され、各前記貫通軸の前側には吸い上げられてきた卓球ボールを前記貯蔵空間の中に打ち込む回転ロッドが設置されている。
【００１０】
好ましくは、前記送水管の出口には送水口が固定的に設置されている。
【００１１】
好ましくは、前記ボディーの後側には押し動かしロッドが固定的に設置されている。
【００１２】
好ましくは、前記貯水空間の上側には開口板が設置されている。
【００１３】
好ましくは、前記収集板の中間位置の前後の側壁には境界板が固定的に設置され、前記境界板の側壁と前記収集板の側壁との間には弾性縄が連結され、二つ毎の前記弾性縄の間隔は卓球ボールの直径より小さい。
【００１４】
好ましくは、前記境界板に近接した前記クリーニングベルトの回転方向は前記境界板から離れた方向である。
【００１５】
好ましくは、左側の前記回転ロッドは反時計回り方向の回転をし、右側の前記回転ロッドは時計回り方向の回転をする。
【００１６】
好ましくは、前記クリーニングベルトは一定の摩擦力を有する。
【発明の効果】
【００１７】
以上により、本発明の有益な効果は：都市内で建てられた体育館は多くなり、卓球は中国の国民ボールとして民衆に愛されている。そのため、全ての体育館内ではたくさんの卓球台を設置し、また多くの選手専用の練習場所を設置し、練習後の卓球ボールは散らかり、スタッフのピックアップ作業は非常に面倒くさく、本発明の体育館で使われる卓球ボールを便利にピックアップするピックアップ装置はボディーを押し動かしてローラーの回転を駆動することによって動力を提供し、上下方向に移動する収集板によって卓球ボールを収集し、本発明の卓球ボールを便利にピックアップするピックアップ装置は卓球ボールを収集する過程において卓球ボールをクリーニングでき、選手たちは卓球ボールに付いた粒状の埃などで練習に影響することを防止し、従来の人によるピックアップの低効率と体を長時間折り曲げることでスタッフの体の健康に悪い影響を与えることと比べて、本発明の体育館で使われる卓球ボールを便利にピックアップするピックアップ装置はボディーを押し動かすことと、上下方向へ移動して自動的に卓球ボールを拾うことを利用するのであり、効率を高める上に、スタッフの体の健康への悪影響も減少し、それと同時に卓球ボールをクリーニングすることは選手たちの練習効果を保証し、それで、本発明の体育館で使われる卓球ボールを便利にピックアップするピックアップ装置は普及する価値を有する。
【図面の簡単な説明】
【００１８】
下記に図１〜４を参考して本発明について詳しく説明し、説明に便利を与えるために、後文に出る方向を以下のように規定する：図１は本発明の正面図であり、後文に述べる上下左右前後の方向は図１の自身投影関係の上下左右前後の方向と一致である。
【００１９】
【図１】図１は本発明の体育館で使われる卓球ボールを便利にピックアップするピッ    クアップ装置全体全断面の正面構成概略図
【図２】図２は本発明図１において後側の断面図
【図３】図３は本発明図１においてＡ―Ａ方向の断面図
【図４】図４は本発明図１においてＢ―Ｂ方向の断面図
【発明を実施するための形態】
【００２０】
本説明書に開示したすべての特徴、または開示したすべての方法または過程中のステップは、互いに排斥する特徴と／またはステップ以外に、いずれもあらゆる方式で組み合わせることができる。
【００２１】
本説明書に公開したすべての特徴は、特別な説明を除き、いずれも他の同等または類似の目的がある代わり特徴に代われることができ、即ち、特別な説明を除き、全ての特徴はただ一連の同等のまたは類似の特徴の中の一例である。
【００２２】
図面１〜４を参照し、本発明実施例の体育館で使われる卓球ボールを便利にピックアップするピックアップ装置は、ボディー２０を含み、前記ボディー２０の中にはクリーニング空間６８が設置され、前記クリーニング空間６８の左右両側にはスライド空間３４が設置され、前記スライド空間３４と前記クリーニング空間６８との間にはスライド空間６７が連通され、各前記スライド空間３４において前記クリーニング空間６８から離れた側にはいずれも側辺空間３９が設置され、各前記スライド空間３４の下側にはいずれも開口空間４０が設置され、前記開口空間４０と前記クリーニング空間６８との間にはモーターを使用せず卓球ボールをピックアップできる運動ピックアップ装置１０１が設置され、前記運動ピックアップ装置１０１は前記スライド空間６７の中にスライドできるように連結されたスライドブロック５１を含み、二つの前記スライドブロック５１において前記クリーニング空間６８に近接した側には収集板４４が固定的に設置され、前記収集板４４の中には収集空間４６が設置され、各前記スライドブロック５１の上側には対応している前記スライド空間３４とスライドできるように連結された当接ブロック５３が固定的に設置され、前記当接ブロック５３の底壁と当該当接ブロック５３の底壁と対応している前記スライド空間３４の底壁との間には復帰ばね５２が連結され、各前記開口空間４０の左右側壁にはいずれもローラー軸４３が回転できるように連結され、各前記ローラー軸４３は前記クリーニング空間６８から離れた側に伸びて前記開口空間４０の一つの側壁を貫通して前記側辺空間３９の中に入り、かつ前記側辺空間３９の左右の側壁と回転できるように連結され、各前記ローラー軸４３において前記クリーニング空間６８に近接した側にはいずれもローラー４１が固定的に設置され、各前記側辺空間３９の上側の左右の側壁にはいずれも偏心輪軸３５が回転できるように連結され、各前記偏心輪軸３５は前記クリーニング空間６８に近接した方向に伸びて前記側辺空間３９の一つの側壁を貫通して前記スライド空間３４の中に入り、かつ前記スライド空間３４の左右の側壁と回転できるように連結され、各前記偏心輪軸３５と当該偏心輪軸３５の下側に対応した前記ローラー軸４３にはそれぞれ第一プーリ３７が上下対称的に固定的に設置され、上下対称の二つの前記第一プーリ３７の間にはいずれも第一ベルト３８が連結され、各前記偏心輪軸３５のもうひとつ側において前記スライド空間３４の中に位置する部分にはいずれも前記当接ブロック５３と当接した偏心輪３６が固定的に設置され、前記クリーニング空間６８の上側には洗浄液を貯蔵する四つ貯水空間３２が設置され、中間の二つの前記貯水空間３２の上側にはクリーニング完了の卓球ボールを貯蔵する貯蔵空間２８が設置され、前記貯蔵空間２８の左右両側には底部が前記クリーニング空間６８と連通したファン空間２４が対称的に設置され、各前記ファン空間２４と前記貯蔵空間２８との間にはいずれも連通空間３０が連通され、各前記ファン空間２４において前記クリーニング空間６８から離れた一つの側壁にはいずれも円形空間２２が設置され、前記貯蔵空間２８と、前記貯水空間３２と、前記クリーニング空間６８との後側には伝動空間５５が設置され、前記伝動空間５５と前記クリーニング空間６８との間には卓球ボールを輸送し、かつクリーニングするクリーニング輸送装置１０２が設置され、前記伝動空間５５と前記貯蔵空間２８との間には卓球ボールを収集する収集装置１０３が設置されている。
【００２３】
また、一つの実施例において、前記クリーニング輸送装置１０２は前記伝動空間５５の後の側壁に固定的に装着された伝動モーター７０を含み、前記伝動モーター７０には前記伝動空間５５の前の側壁と回転できるように連結された伝動軸６２が伝動できるように連結され、前記伝動空間５５の前後の側壁には二つの回転軸７１が回転できるように連結され、二つの前記回転軸７１は前記伝動軸６２を中心にして左右対称であり、各前記回転軸７１において前記伝動軸６２から離れた側にはいずれも前記伝動空間５５の前後の側壁と回転できるように連結された副軸５８が設置され、右側の前記回転軸７１と前記伝動軸６２にはそれぞれ互いに対応した第二プーリ６１が固定的に設置され、二つの前記第二プーリ６１の間には第二ベルト６３が連結され、左側の前記回転軸７１と前記伝動軸６２にはそれぞれ互いに対応した第三プーリ７２が固定的に設置され、二つの前記第三プーリ７２の間には第三ベルト７３が連結され、左側の前記副軸５８と左側の前記回転軸７１にはそれぞれ互いに対応した第四プーリ５９が固定的に設置され、二つの前記第四プーリ５９の間には第四ベルト６０が連結され、右側の前記副軸５８と右側の前記回転軸７１にはそれぞれ互いに対応した第五プーリ８４が固定的に設置され、二つの前記第五プーリ８４の間には第五ベルト８５が連結され、各前記副軸５８と各前記回転軸７１の後側には左右対応した第一歯車７４が固定的に設置され、各前記第一歯車７４の四周にはいずれも四つを一組とする付属軸４９が上下左右対称的に設置され、前記付属軸４９が前記伝動空間５５の前後の側壁と回転できるように連結され、各前記付属軸４９は前方に伸びて前記伝動空間５５の前の側壁を貫通して前記クリーニング空間６８の中に入り、かつ前記クリーニング空間６８の前後の側壁と回転できるように連結され、各前記付属軸４９の後側には当該付属軸４９と対応した前記第一歯車７４と噛み合っている第二歯車５４が固定的に設置され、各前記付属軸４９の前側にはいずれも回転盤５０が固定的に設置され、前記付属軸４９と対応した四つ毎の前記回転盤５０を一つ組にし、各組の前記回転盤５０にはクリーニングベルト４５が連結され、各前記貯水空間３２の後側には送水管３３が連通され、各前記貯水空間３２の底壁と前記クリーニング空間６８の頂壁との間にはいずれもウォータードロッパー４７が設置されており、
前記収集板４４は卓球ボールを全部収集した後、前記伝動モーター７０を作動させ、そして前記伝動軸６２の回転を駆動し、さらに前記第二プーリ６１と前記第三プーリ７２との回転を駆動し、前記回転軸７１の回転を駆動し、前記第四プーリ５９と前記第二歯車５４との回転を駆動し、そして前記副軸５８の回転を駆動し、前記第一歯車７４の回転を駆動し、前記第二歯車５４と前記付属軸４９との回転を駆動し、さらに前記回転盤５０の回転を駆動し、前記クリーニングベルト４５の回転を駆動し、そして前記クリーニングベルトの回転によって生み出された摩擦力を通して卓球ボールを前記送水管３３内の隙間から前記クリーニング空間６８の上側に輸送し、それと同時に前記ウォータードロッパー４７は前記貯水空間３２内の洗浄液を滴らせ、そして前記送水管３３は卓球ボールが輸送される過程において卓球ボールをクリーニングできる。
【００２４】
また、一つの実施例において、前記収集装置１０３は前記ファン空間２４の上側に固定的に装着された固定ロッド８０を含み、各前記固定ロッド８０にはファンモーター２５が固定的に設置され、各前記ファンモーター２５の下側にはファン軸２６が伝動できるように連結され、前記ファン軸２６の下側には風力を通じて前記クリーニングベルト４５によって輸送されてきた卓球ボールを上方に輸送するファン２７が固定的に設置され、前記ファン２７の下側には前記ファン空間２４の左右の側壁と固定的に連結された阻隔板３１が固定的に設置され、各前記円形空間２２の前後の側壁にはいずれも貫通軸２３が回転できるように連結され、各前記貫通軸２３は後側に伸びて前記円形空間２２の後の側壁を貫通して前記伝動空間５５の中に入り、かつ前記伝動空間５５の前後の側壁と回転できるように連結され、前記貫通軸２３の後側と当該貫通軸２３の下側に対応した前記副軸５８にはそれぞれ第六プーリ５７が固定的に設置され、上下対称の二つ毎の前記第六プーリ５７の間にはそれぞれ第六プーリ５６が連結され、各前記貫通軸２３の前側には吸い上げられてきた卓球ボールを前記貯蔵空間２８の中に打ち込む回転ロッド２１が設置されており、前記収集板４４は卓球ボールを上側に輸送した後、前記ファンモーター２５を作動させ、そして前記ファン軸２６の回転を駆動し、前記ファン２７の回転を駆動し、さらに卓球ボールを吸い上げられる引力を生み出し、そして卓球ボールを前記ファン空間２４の中に吸い込み、それと同時に前記付属軸４９の回転は前記貫通軸２３の回転を駆動し、卓球ボールを前記貯蔵空間２８の中に打ち込む。
【００２５】
また、一つの実施例において、前記送水管３３の出口には送水口６５が固定的に設置されており、
前記貯水空間３２の中に水を添加することに便利を与える。
【００２６】
また、一つの実施例において、前記ボディー２０の後側には押し動かしロッド６４が固定的に設置されており、
前記ボディー２０を押し動かすことに便利を与える。
【００２７】
また、一つの実施例において、前記貯水空間２８の上側には開口板２９が設置されており、収集作動完了後、前記開口板２９によって卓球ボールを取り出すことができる。
【００２８】
また、一つの実施例において、前記収集板４４の中間位置の前後の側壁には境界板４８が固定的に設置され、前記境界板４８の側壁と前記収集板４４の側壁との間には弾性縄６６が連結され、二つ毎の前記弾性縄６６の間隔は卓球ボールの直径より小さい。
【００２９】
また、一つの実施例において、前記境界板４８に近接した前記クリーニングベルト４５の回転方向は前記境界板４８から離れた方向であり、
前記収集空間４６の中にある卓球ボールをきれいにクリーニングできる。
【００３０】
また、一つの実施例において、左側の前記回転ロッド２１は反時計回り方向の回転をし、右側の前記回転ロッド２１は時計回り方向の回転をする。
【００３１】
また、一つの実施例において、前記クリーニングベルト４５は一定の摩擦力を有し、卓球ボールを上方に輸送できる。
【００３２】
体育館内に散らかっている卓球ボールをクリーニングする時、人は押し動かしロッド６４によってボディー２０を移動するように押し動かし、そしてローラー４１が回転し、さらにローラー軸４３の回転を駆動し、第一プーリ３７と偏心輪軸３５との回転を駆動し、そして偏心輪３６の回転を駆動し、当接ブロック５３の上下方向へのスライドを駆動し、スライドブロック５１と収集板４４との上下方向へのスライドを駆動し、そして弾性縄６６によって地面にある卓球ボールを収集空間４６の中に拾う。
【００３３】
収集板４４は卓球ボールを全部収集した後、伝動モーター７０を作動させ、そして伝動軸６２の回転を駆動し、さらに第二プーリ６１と第三プーリ７２との回転を駆動し、回転軸７１の回転を駆動し、第四プーリ５９と第二歯車５４との回転を駆動し、そして副軸５８の回転を駆動し、第一歯車７４の回転を駆動し、第二歯車５４と付属軸４９との回転を駆動し、さらに回転盤５０の回転を駆動し、クリーニングベルト４５の回転を駆動し、そしてクリーニングベルトの回転によって生み出された摩擦力を通して卓球ボールを送水管３３内の隙間からクリーニング空間６８の上側に輸送し、それと同時にウォータードロッパー４７は貯水空間３２内の洗浄液を滴らせ、そして送水管３３は卓球ボールが輸送される過程において卓球ボールをクリーニングでき、収集板４４は卓球ボールを上側に輸送した後、ファンモーター２５を作動させ、そしてファン軸２６の回転を駆動し、ファン２７の回転を駆動し、さらに卓球ボールを吸い上げられる引力を生み出し、そして卓球ボールをファン空間２４の中に吸い込み、それと同時に付属軸４９の回転は貫通軸２３の回転を駆動し、卓球ボールを貯蔵空間２８の中に打ち込み、そして、選手たちは卓球を練習する時に開口板２９を開ければ良い。
【００３４】
本発明の有益な効果は：都市内で建てられた体育館は多くなり、卓球は中国の国民ボールとして民衆に愛されている。そのため、全ての体育館内ではたくさんの卓球台を設置し、また多くの選手専用の練習場所を設置し、練習後の卓球ボールは散らかり、スタッフのピックアップ作業は非常に面倒くさく、本発明の体育館で使われる卓球ボールを便利にピックアップするピックアップ装置はボディーを押し動かしてローラーの回転を駆動することによって動力を提供し、上下方向に移動する収集板によって卓球ボールを収集し、本発明の卓球ボールを便利にピックアップするピックアップ装置は卓球ボールを収集する過程において卓球ボールをクリーニングでき、選手たちは卓球ボールに付いた粒状の埃などで練習に影響することを防止し、従来の人によるピックアップの低効率と体を長時間折り曲げることでスタッフの体の健康に悪い影響を与えることと比べて、本発明の体育館で使われる卓球ボールを便利にピックアップするピックアップ装置はボディーを押し動かすことと、上下方向へ移動して自動的に卓球ボールを拾うことを利用するのであり、効率を高める上に、スタッフの体の健康への悪影響も減少し、それと同時に卓球ボールをクリーニングすることは選手たちの練習効果を保証し、それで、本発明の体育館で使われる卓球ボールを便利にピックアップするピックアップ装置は普及する価値を有する。
【００３５】
上記は、ただ発明の具体的な実施方式であり、発明の保護範囲はこれに限定されたものではなく、創造的な労働を通さなく想到できる全ての変化又は入れ替わりは、本発明の保護範囲の中に含む。したがって、発明の保護範囲は特許の請求の範囲に限定された保護範囲を基準とするべきである。
【要約】
【課題】本発明は体育館で使われる卓球ボールを便利にピックアップするピックアップ装置を開示した。
【解決手段】
ボディーを含み、前記ボディーの中にはクリーニング空間が設置され、前記クリーニング空間の左右両側にはスライド空間が設置され、前記スライド空間と前記クリーニング空間との間にはスライド空間が連通され、各前記スライド空間において前記クリーニング空間から離れた側にはいずれも側辺空間が設置され、前記クリーニング空間の上側には洗浄液を貯蔵する四つ貯水空間が設置され、本発明の体育館で使われる卓球ボールを便利にピックアップするピックアップ装置はボディーを押し動かすことと、上下方向へ移動して自動的に卓球ボールを拾うことを利用するのであり、効率を高める上に、スタッフの体の健康への悪影響も減少し、それと同時に卓球ボールをクリーニングすることは選手たちの練習効果を保証する。
【選択図】図１【図１】
0006753002.tif 000002
【図２】
0006753002.tif 000003
【図３】
0006753002.tif 000004
【図４】
0006753002.tif 000005